(57)【要約】【課題】本発明の課題は、扉開時における音量を調整可能な自動販売機を提供するることにある。【解決手段】  本発明の音声発生装置を備えた自動販売機においては、音声の音量を設定する設定手段と、扉開を検知する扉開検知手段と、扉開検知手段による扉開検知時に前記音声発生装置からの音量を前記設定手段により設定された音量に変更する制御手段とを備えたことを特徴とする。【選択図】図１
2008282196.tif 000002
【特許請求の範囲】
【請求項１】
音声発生装置を備えた自動販売機において、音声の音量を設定する設定手段と、扉開を検知する扉開検知手段と、扉開検知手段による扉開検知時に前記音声発生装置からの音量を前記設定手段により設定された音量に変更する制御手段とを備えたことを特徴とする自動販売機。
【請求項２】
請求項１記載の自動販売機において、扉開時と扉閉時との音量を１回の操作にて設定することを特徴とする自動販売機
【請求項３】
請求項１または２記載の自動販売機において、扉閉を検知する扉閉検知手段を備え、前記制御手段は、扉閉検知手段による扉閉検知時に前記音声発生装置からの音量を元に戻すことを特徴とする自動販売機。
【請求項４】
請求項１ないし３いずれかに記載の自動販売機において、扉開時の音量は、消音、通常時より小さい音量あるいは扉閉時に周囲に聞こえる音量とすることを特徴とする自動販売機。
【発明の詳細な説明】
【技術分野】
【０００１】
本発明は、音声発生装置を備えた自動販売機に関する。
【背景技術】
【０００２】
従来、貨幣投入あるいは利用者接近に基づき、音声を発生する自動販売機が知られている（例えば、特許文献１）。
【特許文献１】特開平１１−６６４０８号公報
【発明の開示】
【発明が解決しようとする課題】
【０００３】
ところで、このような音声発生装置を備えた自動販売機においては、通常、扉を閉めた状態で利用者が聞き取り易い音量にて音声を発生するように調整しており、この音声は定期、不定期に発生している。
そこで、例えば、作業者が自動販売機の扉を開けての作業中に音声発生装置が作動すると、通常の音量より大きくなってしまい、周囲の騒音となる可能性があった。
【０００４】
また、作業者にとっても、大きな音量に驚いてしまうこともあり、さらに、扉開時に音量確認による調整が難しいという課題があった。
そこで、本発明は、上記課題に鑑みて、扉開時における音量を調整可能な自動販売機を提供することを目的とする。
【課題を解決するための手段】
【０００５】
上記課題を解決するために、本発明の音声発生装置を備えた自動販売機においては、音声の音量を設定する設定手段と、扉開を検知する扉開検知手段と、扉開検知手段による扉開検知時に前記音声発生装置からの音量を前記設定手段により設定された音量に変更する制御手段とを備えたことを特徴とする。
また、扉閉を検知する扉閉検知手段を備え、前記制御手段は、扉閉検知手段による扉閉検知時に前記音声発生装置からの音量を元に戻すことを特徴とする。
【０００６】
さらに、扉開時の音量としては、扉開時の音量は、消音、通常時より小さい音量あるいは扉閉時に周囲に聞こえる音量とする。
【発明の効果】
【０００７】
本発明は、音声発生装置を備えた自動販売機において、音声の音量を設定する設定手段と、扉開を検知する扉開検知手段と、扉開検知手段による扉開検知時に前記音声発生装置からの音量を前記設定手段により設定された音量に変更する制御手段とを備えたことにより、扉開時に音声発生装置が作動したとしても、無用な騒音とならないため、周囲に迷惑をかけるという事態を無くすことができる。
【０００８】
また、扉閉時に元の音量に自動的に戻すことで、戻し忘れを防止できる。
さらに、扉開時の音量を扉閉時に周囲で聞こえる音量とすることで、作業者による音量確認が容易となり、音量調整がし易くなるという効果が得られる。
【発明を実施するための最良の形態】
【０００９】
以下に添付図面を参照して、好適な実施例を詳細に説明する。なお、この実施例によりこの発明が限定されるものではない。
以下に、本発明の一実施の形態を示す図１ないし３を用いて説明する。
まず、図３は、本発明の実施の対象となる自動販売機の概略正面図の一例を示すものであり、自動販売機１は、その本体キャビネット１０の前面に外扉２０を備えており、本体キャビネット内には複数のコラムを備えている。このコラムは、例えばサーペンタイン式のラックから成るもので、複数種類の商品を個別に収納する一方、商品選択ボタンが押され、販売指令が与えられた場合に押された商品選択ボタン対応する商品の払い出しを行なう。
【００１０】
外扉２０は、本体キャビネット１０の前面開口を開閉する態様で、該本体キャビネット１０の一側縁部に支承させたものである。この外扉２０には、その前面側に商品見本展示室２１、販売可能ランプおよび売切ランプを内蔵する商品選択押ボタン２２、硬貨投入口２３、返却レバー２４、一体表示器２５、硬貨返却口２６、商品取出口２７、音声発生用のスピーカ２８が設けられており、さらに図示していないが外扉の内面側に後述する扉開閉検知スイッチが設けられている。
【００１１】
商品見本展示室２１は、外扉２０の上部に構成した透明の窓であり、内部に配列した商品見本２９を外部に視認させることが可能である。商品見本展示室２１を通じて視認される商品見本２９は、それぞれコラムに収納した商品を現し、商品選択押ボタン２２と対応して設けられている。
次に、図１は、本発明の一実施の形態を示す構成ブロック図である。
【００１２】
１１は装置全体を制御するマスタ制御部であり、制御プログラムを格納するメモリ１１ａ、設定データおよび音声発生データなど種々のデータを記憶するメモリ１１ｂ、時計１１ｃを備えている。このマスタ制御部１１には、音声、音量、発生タイミングなどの各種設定を行なうリモコンなどからなる設定装置１２、硬貨処理装置１３、商品搬出を行なう商品搬出装置１４、外扉の開閉状態を検知する扉開閉検知スイッチ１５、音声発生装置２８ａが接続され、図３に示した投入金額表示を行う金額表示を含む一体表示器２５、販売可能ランプ２２ａおよび売切ランプ２２ｂを内蔵する商品選択ボタン２２も接続されている。
【００１３】
ここで、自動販売機における音声の発声の設定について説明する。
まず、設定装置１２にて、音声の設定モードとし、一体表示器２５の４桁の表示部を利用して、外扉開時の音量を上位２桁に入力し、下位２桁に外扉閉時の音量を入力して図示しない決定キーを操作することでメモリ１１ｂにデータを記憶させるものである。なお、設定装置１２に表示部を備えている場合には、一体表示器２５に代えて、設定装置１２の表示部を利用して音量を入力してもよい。
【００１４】
このように、１回の操作にて外扉開時と外扉閉時の音量が設定可能となる。
次に、扉閉時の音声発生の一例について簡単に説明する。
利用者が、自動販売機１の硬貨投入口２３に硬貨を投入すると、「いらっしゃいませ」と音声発生装置２８ａを介してスピーカ２８から音声を発生し、商品選択押ボタン２２を押されると、押された商品選択押ボタン２２に対応した商品が商品搬出装置１４により商品取出口２７に搬出され、この時に「ありがとうございました」と音声発生装置２８ａを介してスピーカ２８から音声を発生する。
【００１５】
また、上記の他に、音声発生のタイミングとしては、時計１１ｃを利用して、設定装置１２を用い、音声発生の時間を設定して指定時間に「温かい飲み物はいかがですか」あるいは、新たに人体検知センサを設け、当該人体検知センサにて通行人を検知すると、「冷たい飲み物はいかがですか」など所定の音声を発生することも考えられる。
このように、自動販売機では、各種の場面場所に合わせて音声を発生するようにして、集客効果を図っている。
【００１６】
この構成において、図２のフローチャートを用い、外扉２０を開けた状態での音声発生処理について説明する。
まず、販売待機状態において、硬貨投入かを検知し（ステップＳ１）、硬貨投入であれば（ステップＳ１，Ｙｅｓ）、通常の販売フローとなるが、図２のフローチャートにおいては省略する。
【００１７】
一方、硬貨の投入が行われていないとすると（ステップＳ１、Ｎｏ）、次に外扉２０が開けられたかを扉開閉検知スイッチ１５の状態により検知する（ステップＳ２）。
ここで、扉開閉検知スイッチ１５の出力により外扉２０の開状態を検知すると（ステップＳ２，Ｙｅｓ）、ステップＳ３に進む。
ステップＳ３では、音声発生のタイミングか否かを判断し、すなわち、指定時間における音声発生のタイミングであれば（ステップＳ３，Ｙｅｓ）、外扉２０を開けた状態の音量設定を読み出し（ステップＳ４）、外扉開時の音量にて音声を発生する（ステップＳ５）。
【００１８】
その後、扉開閉検知スイッチ１５の状態により外扉２０の閉状態を検知すると（ステップＳ６，Ｙｅｓ）、通常時の音量設定へ戻す（ステップＳ７）
この音声発生のタイミングは、販売テストによる通常販売と同様の場面での音声の発生、指定時間における音声発生、あるいは音声確認のための音声確認テストなどが考えられる。
【００１９】
このように、外扉開時の音量と外扉閉時の音量とを変えることができ、例えば、扉開時の音量を外扉閉時の音量より小さくすることで、周囲への騒音を防止できる。
また、小さい音量とする際に、外扉開時の音量を、外扉閉時に周囲に聞こえる音量となるように調整することで、音声確認のための音声確認テスト時に、外扉を開けた状態のまま通常の販売時に周囲に対して、どうような音量で聞こえるかを確認することが可能となる。
【００２０】
さらに、扉開閉検知スイッチ１５の扉開閉検知に関し、外扉２０に設けられている鍵の開錠，施錠を検知して扉の開閉検知を行ってもよい。
なお、外扉開閉時のほか、音量を変化させるタイミングとしては、以下の場合が考えられる。
まず、指定時間帯により音量を変化させるものでは、夜間などの音量を小さくするために、音声内容、時間、音量を設定装置１２により１回の操作で設定記憶させる。
【００２１】
また、設置場所により音量を変化させるものでは、騒音レベルに応じた音量を予め記憶させておき、周囲の騒音レベルを検知するセンサを設け、騒音レベルに応じた音量により音声を発生させることが可能となる。
【図面の簡単な説明】
【００２２】
【図１】本発明の一実施の形態である自動販売機の制御装置を示す構成ブロック図
【図２】図１の処理動作を示すフローチャート
【図３】本発明の対象となる自動販売機の概略正面図
【符号の説明】
【００２３】
１              自動販売機
２０            外扉
２２            商品選択押ボタン
１１            マスタ制御部
１１ａ、１１ｂ  メモリ
１１ｃ          時計
１２            設定装置
２２            商品選択押ボタン
２５            一体表示器
２８            スピーカ
２８ａ          音声発生装置
【図１】
2008282196.tif 000003
【図２】
2008282196.tif 000004
【図３】
2008282196.tif 000005